【事件の表示】
　特許第３０８５２６２号「ビデオ画像印画媒体」の請求項１ないし４に係る特許に対する特許異議の申立てについて、次のとおり決定する。
【結　論】
　訂正を認める。
　特許第３０８５２６２号の請求項１ないし３に係る特許を取り消す。
【理　由】
１．手続の経緯
　特許第3085262号の請求項１ないし４に係る発明は、平成2年10月13日に出願した特願平2-274128号の一部を平成9年10月13日に新たな特許出願としたものであり、平成12年7月7日にその特許権の設定登録がなされ、その後、藤田肇より特許異議の申立がなされ、取消理由通知がなされ、その指定期間内である平成13年9月11日に特許異議意見書の提出とともに、訂正請求がなされたものである。
　
２．訂正の適否についての判断
（１）訂正の内容
［訂正事項ａ］
　特許査定時の明細書の特許請求の範囲の請求項１に、
「【請求項１】　画像信号記憶手段に記憶されている画像信号を印画するビデオプリンタによって印画されるビデオ画像印画媒体であって、一方の面に印画面を設け他方の面に粘着剤が塗布されたベース部と上記粘着剤により当該ベース部に貼り付けられた剥離紙とを有して成り、上記印画面と上記ベース部を予め所望の形状に切断することによって形成された切断領域が設けられ、上記画像信号に基づく画像を印画後に、上記切断領域を上記剥離紙から剥離して上記粘着剤により任意の場所に貼り付け得る画像印画媒体に、上記ビデオプリンタによって検出される印画開始位置決め用の被検出部を所定間隔毎に設けた　ことを特徴とするビデオ画像印画媒体。」とあるのを、
「【請求項１】　画像信号記憶手段に記憶されている画像信号を印画するビデオプリンタによって印画されるビデオ画像印画媒体であって、一方の面に印画面を設け他方の面に粘着剤が塗布されたベース部と上記粘着剤により当該ベース部に貼り付けられた剥離紙とを有して成り、上記印画面と上記ベース部を予め所望の形状に切断することによって形成された切断領域が複数個設けられ、上記画像信号に基づく画像を上記切断領域に印画後に、上記切断領域を上記剥離紙から剥離して上記粘着剤により任意の場所に貼り付け得る画像印画媒体に、上記ビデオプリンタによって検出される上記切断領域に対する印画のための印画開始位置決め用の被検出部を上記各切断領域に対応して所定間隔毎に設けたことを特徴とするビデオ画像印画媒体。」
と訂正する。
　
［訂正事項ｂ］
　特許査定時の明細書の特許請求の範囲の請求項４を削除する。
　
［訂正事項ｃ］
　特許査定時の明細書の発明の詳細な説明における段落番号［0005］を、
「【課題を解決するための手段】
　本発明のビデオ画像印画媒体は、画像信号記憶手段に記憶されている画像信号を印画するビデオプリンタによって印画されるビデオ画像印画媒体であって、一方の面に印画面を設け他方の面に粘着剤が塗布されたベース部と上記粘着剤により当該ベース部に貼り付けられた剥離紙とを有して成り、上記印画面と上記ベース部を予め所望の形状に切断することによって形成された切断領域が複数個設けられ、上記画像信号に基づく画像を上記切断領域に印画後に、上記切断領域を上記剥離紙から剥離して上記粘着剤により任意の場所に貼り付け得る画像印画媒体に、上記ビデオプリンタによって検出される上記切断領域に対する印画のための印画開始位置決め用の被検出部を上記各切断領域に対応して所定間隔毎に設けたことにより、上述した課題を解決する。」
と訂正する。
　
（２）訂正の目的の適否、新規事項の有無及び拡張・変更
　訂正事項ａについては、画像の印画位置を切断領域に限定するとともに、印画開始位置決め用の被検出部の設置位置を、切断領域に対する印画のために切断領域に対応して設けたと限定するものであるから、特許請求の範囲の減縮を目的とするものである。
　訂正事項ｂについては、請求項の削除であるから特許請求の範囲の減縮を目的とするものである。
　訂正事項ｃについては、特許請求の範囲の訂正に伴って、発明の詳細な説明の課題を解決するための手段の記載をそれに整合させるための訂正であり、明りょうでない記載の釈明を目的とするものである。
　そして、訂正事項ａないしｃは、いずれも新規事項の追加には該当しないし、特許請求の範囲を実質的に拡張あるいは変更するものでもない。
　
（３）むすび
　以上のとおりであるから、上記訂正は、平成６年改正法附則第6条第1項の規定によりなお従前の例によるとされる、特許法第120条の4第3項において準用する平成６年改正法による改正前の特許法第126条第1項ただし書、第2項及び第3項の規定に適合するので、当該訂正を認める。
　
３．特許異議の申立についての判断
（１）取消理由の概要
　本件の請求項１ないし４に係る発明は、刊行物１（特開平2−890号公報）、刊行物２（特開昭61−237692号公報）及び刊行物３（特開昭63−37988号公報）記載の発明に基づいて当業者が容易に発明をすることができたものであり、特許法第29条第2項の規定により特許を受けることができない。
　
（２）本件発明
　上記２．で示したように上記訂正が認められるから、本件の請求項１ないし３に係る発明は、上記訂正に係る訂正明細書の特許請求の範囲の請求項１ないし３に記載された次のとおりのものである。（以下、それぞれ「本件発明１」、「本件発明２」、「本件発明３」という。）
「【請求項１】　画像信号記憶手段に記憶されている画像信号を印画するビデオプリンタによって印画されるビデオ画像印画媒体であって、一方の面に印画面を設け他方の面に粘着剤が塗布されたベース部と上記粘着剤により当該ベース部に貼り付けられた剥離紙とを有して成り、上記印画面と上記ベース部を予め所望の形状に切断することによって形成された切断領域が複数個設けられ、上記画像信号に基づく画像を上記切断領域に印画後に、上記切断領域を上記剥離紙から剥離して上記粘着剤により任意の場所に貼り付け得る画像印画媒体に、上記ビデオプリンタによって検出される上記切断領域に対する印画のための印画開始位置決め用の被検出部を上記各切断領域に対応して所定間隔毎に設けたことを特徴とするビデオ画像印画媒体。
　【請求項２】　上記切断領域が所定の間隔で複数設けられ、上記画像信号記憶手段に記憶されている同一の上記画像信号が上記ビデオプリンタによって上記複数の切断領域に印画されることを特徴とする請求項１記載のビデオ画像印画媒体。
　【請求項３】　上記切断領域が所定の間隔で複数設けられ、上記画像信号記憶手段に記憶されている異なる複数の上記画像信号が上記ビデオプリンタによって上記複数の切断領域に印画されることを特徴とする請求項１記載のビデオ画像印画媒体。」
　
（３）引用刊行物記載の発明
［刊行物１］
ａ．剥離シート上に粘着層、シート基材、受像層を順次積層してなり且つ粘着層、シート基材及び受像層によりラベル部が形成され、該ラベル部と剥離シートとの間において剥離可能である被熱転写シートから構成され、受像層上に画像情報の電気信号に応じた加熱により熱転写シートの色材層中の昇華性染料を転写せしめて形成される１コマ以上の昇華転写画像を有すると共に、ラベル部に上記昇華転写画像の１コマ毎を区画するための切り込み線によるハーフカット処理を施したことを特徴とする昇華転写画像付きラベル。（第1頁　特許請求の範囲の項参照）
ｂ．上記傾向の一例としては、例えば名刺の一部に所有者自身の顔写真などを貼り付けたり或いは印刷を施して、名前の文字以外に顔写真等によるアピール要素を付加し、その名刺を手渡す人に対して自己の印象度を高めた例などが挙げられる。本発明は・・・ＣＲＴディスプレイ上の画像から直接写真のような画像を記録することができる熱転写記録方式により画像付けを行ない、各種物品に対して簡便に貼り付けることができる昇華転写画像付ラベルを提供することを目的とするものである。（第1頁右下欄第7行〜同欄第18行参照）
ｃ．この画像6は画像内容の１単位である”コマ”の数が、単数のものであっても或いは複数のものであってもよい。・・・画像6が複数のコマより構成されている場合、それぞれのコマにおける画像内容は全て同一内容で構成しても、互いに異なる内容で各々構成してもよい。本発明ラベルにおける画像は・・・ＣＲＴディスプレイ上の電気的操作により簡単に画像内容を編集できるため、多様性に富んだ内容の画像も容易に得ることができる。（第3頁左下欄第6行〜右下欄第2行参照）
ｄ．本実施例におけるハーフカット処理は、Ａ、Ｂ、Ｃ、Ｄのコマからなる各々の画像6の境界部（線）が互いに接合するように施されているが、このような構成の処理方法に限定されるものではなく、例えば、Ａ、Ｂ、Ｃ、Ｄのコマからなる各々の画像6の境界部が互いに離間した状態（換言すれば、各画像がそれぞれの切り込み線により完全に仕切られた状態）となるように施してもよい。（第3頁右下欄第16行〜第4頁左上欄第3行）
ｅ．しかる後、ラベルを挟持固定した半抜き機9をプレス機10内にセットし、プレス盤15を下降させて半抜き機全体を加圧することにより、切刃13がラベルの所定深さまで進入し、以てラベル1の所定箇所に切り込み線が刻設されてハーフカット処理がなされる。尚、図中16は切刃13がラベル1における所定の深さ、即ちラベル部8の厚さ分だけ進入するようにするため、下降する上板11を所定位置で停止させる調整ストッパーである。（第4頁右上欄第3行〜同欄第12行参照）
ｆ．尚、本発明においてラベルに検知マークを設けることができる。検知マークは画像形成時に熱転写シートとの正確な位置決めを行なう際等に極めて便利であり、例えば、光電管検知装置により検知しうる検知マークを剥離シート２裏面等に印刷等により設けることができる。（第4頁右上欄第13行〜同欄第18行参照）
ｇ．本発明ラベル1は通常、画像6を形成した後にハーフカット処理を施すが、予めハーフカット処理を施しておいてから、切り込み線により形成されているコマ範囲内におさまるように画像の形成を行なってもよい。上記の如き構成からなる本発明ラベル1を実際に使用するに当たっては、第４図に示すようにハーフカット処理による切り込み線7に沿ってラベル部8を剥離シート2から剥離し、次いで、第５図に示すように昇華転写画像6を有し、切り込み線によって区画された所定形状からなるラベル部8を、所望の被貼付体17に貼り付ける。（第4頁右下欄第7行〜同欄第18行参照）
ｈ．文字と人間の顔画像等のように異種の画像内容を自由自在に組み合わせた画像を形成せしめ・・・本発明ラベルは所望のラベル部を容易に剥離して各種物品に簡便に貼り付けることができるものである。（第6頁右上欄第16行〜左下欄第5行参照）
　
　上記記載を対比のためにまとめると、刊行物１には上の摘記事項ｇからみて、画像をハーフカット処理された領域に印画する例についても記載されているから、刊行物１には次のような発明が記載されている。
「ＣＲＴディスプレイ上の画像を熱転写記録方式によって印画される被熱転写シートであって、一方の面に受像層を設け他方の面に粘着剤が塗布されたシート基材と粘着剤により当該シート基材部に貼り付けられた剥離シートとを有して成り、ハーフカット処理された領域が設けられ、画像をハーフカット処理された領域に印画後に、ハーフカット処理された領域を剥離紙から剥離して粘着剤により任意の場所に貼り付け得る被熱転写シートの裏面等に、光電管検知装置によって検出される画像形成時に熱転写シートとの正確な位置決めを行なう際等のための検知マークを設けた被熱転写シート。コマにおける画像内容は全て同一内容で構成しても、互いに異なる内容で各々構成してもよい」
　
（４）対比及び判断
［本件発明１］
　本件発明１を刊行物１記載の発明と対比すると、
ａ．刊行物１記載の発明の「被熱転写シート」、「受像層」、「シート基材」、「検知マーク」は、それぞれ本件発明１の「画像印画媒体」、「印画面」、「ベース部」、「被検出部」に相当し、
ｂ．刊行物１記載の発明の「ＣＲＴディスプレイ上の画像を熱転写記録方式によって印画」において、熱転写記録方式で印画するのは熱転写記録装置であるということができ、本件発明１の「画像信号を印画するビデオプリンタ」とは、「画像信号を印画するプリンタ」である点で共通し、
ｃ．刊行物１記載の発明の「ハーフカット処理された領域」も引用例１の摘記事項ｆ．からみて「印画面とベース部を予め所望の形状に切断することによって形成された切断領域」であるということができ、
ｄ．刊行物１記載の発明において、光電管検知装置はそれによって印画媒体の被検出部を検知して画像形成時に熱転写シートを位置決めするものであり、熱転写記録装置に設けられているとみるのが妥当であり、
　以上のことから、両者間には次のような一致点、相違点がある。
（一致点）
　画像信号を印画するプリンタによって印画される画像印画媒体であって、一方の面に印画面を設け他方の面に粘着剤が塗布されたベース部と粘着剤により当該ベース部に貼り付けられた剥離紙とを有して成り、印画面とベース部を予め所望の形状に切断することによって形成された切断領域が複数個設けられ、画像信号に基づく画像を切断領域に印画後に、切断領域を剥離紙から剥離して粘着剤により任意の場所に貼り付け得る画像印画媒体に、プリンタによって検出される被検出部を設けた画像印画媒体。
（相違点）
（１）画像信号を印画するプリンタ及び印画される画像印画媒体が、本件発明１は画像信号記憶手段に記憶されている画像を印画するビデオプリンタであり、ビデオ画像印画媒体であるのに対して、刊行物１記載の発明はＣＲＴディスプレイ上の画像を熱転写記録装置で印画するとあるだけである点
（２）プリンタによって検出される被検出部を、本件発明１は印字開始位置決め用として各切断領域に対応して所定間隔毎に設けているのに対して、刊行物１記載の発明は画像形成時に熱転写シートとの正確な位置決めを行なう際等のために剥離シートの裏面等に設けている点
（相違点の検討）
　相違点（１）については、ＣＲＴディスプレイ上の画像を印画するビデオプリンタは例を挙げるまでもなく周知技術であり（後述する周知例もビデオプリンタである）、ビデオプリンタに使用される画像印画媒体はビデオ画像印画媒体ということができこれも周知技術である。
　また、この種のビデオプリンタにおいて画像信号を記憶手段に記憶させ、記憶手段に記憶されている画像を印画することも周知技術である（必要あらば特開平2-9672号公報、特開昭63-297047号公報参照）。
　このことから、ＣＲＴディスプレイ上の画像を印画するプリンタを画像信号記憶手段に記憶されている画像を印画するビデオプリンタとすること、及び画像印画媒体をビデオ画像印画媒体とすることは、当業者ならば容易に考えつくことができた構成の変更である。
　相違点（２）について検討する。
　まず、刊行物１に「検知マークは画像形成時に熱転写シートとの正確な位置決めを行なう際等に極めて便利であり」とあるが、検知マークをそのマークを検出して各コマの印字開始位置を決めるために用いることについては記載がない。
　しかし、プリンタの用紙に印字開始位置を決めるための検知マークを所定間隔毎に設けてプリントすることは周知技術である（必要あらば、特開昭60−193671号公報、特開昭61−246069号公報参照）。検知マークを用紙に所定間隔毎に設けて印刷開始位置決めとすることは、プリンタに類似の技術である印刷技術においても周知技術である。
　このことから刊行物１記載の発明も、刊行物１の摘記事項ｇ．に「切り込み線により形成されているコマ範囲内におさまるように画像の形成を行なってもよい」とあるように、画像印画媒体に予め切断領域を設けその範囲内におさまるように印画しようとするものであり、この場合、画像印画媒体の切断領域に対応させて被検出部を設けること、印画位置である切断領域を所定間隔で設けた場合、被検出部も所定間隔毎に設ける程度のことは、当業者が容易に考えつくことができた構成の変更である。
（まとめ）
　したがって、本件発明１は刊行物１記載の発明及び周知技術に基づいて当業者が容易に発明をすることができたものである。
［本件発明２］
　本件発明２を刊行物１記載の発明と対比すると、本件発明１の対比において挙げた相違点（１）および（２）に加えて、
　切断領域が所定の間隔で複数設けられ、画像信号記憶手段に記憶されている同一の画像信号が上記ビデオプリンタによって複数の切断領域に印画される点でも相違する。
　しかし、刊行物１には剥離紙から剥離されて各種物品に貼り付けるためのラベルを構成する各コマには同一の画像を印画されることが記載されており、また、プリンタにおいて同じ画像を繰り返し印画することは周知技術であるから、同じ画像を繰り返し印画すべく、画像印画媒体に切断領域を所定間隔で複数設け、画像信号記憶手段に記憶されている同一の画像信号をビデオプリンタによって複数の切断領域に印画しようとする程度のことは、当業者が容易に考えつくことができたことであり、本件発明２は刊行物１記載の発明及び周知技術に基づいて当業者が容易に発明をすることができたものである。
　
［本件発明３］
　本件発明３を刊行物１記載の発明と対比すると、本件発明１の対比において挙げた相違点（１）および（２）に加えて、
　切断領域が所定の間隔で複数設けられ、画像信号記憶手段に記憶されている異なる複数の画像信号がビデオプリンタによって複数の切断領域に印画される点でも相違する。
　しかし、刊行物１には剥離紙から剥離されて各種物品に貼り付けるためのラベルを構成する各コマには異なる画像を印画されることが記載されており、また、プリンタにおいて異なる画像を画像毎に印画することは周知技術であるから、異なる画像を複数印画すべく、画像印画媒体に切断領域を所定間隔で複数設け、画像信号記憶手段に記憶されている異なる複数の画像信号をビデオプリンタによって複数の切断領域に印画しようとする程度のことは、当業者が容易に考えつくことができたことであり、本件発明３は刊行物１記載の発明及び周知技術に基づいて当業者が容易に発明をすることができたものである。
　
（５）むすび
　以上のとおりであるから、本件発明１ないし３は特許法第29条第2項の規定により特許を受けることができない。
　したがって、本件発明１ないし３についての特許は拒絶の査定をしなければならない特許出願に対してされたものと認める。
　よって、平成６年改正法附則第14条の規定に基づく、平成６年改正法の施行に伴う経過措置を定める政令（平成７年政令205号）第4条第2項の規定により、結論のとおり決定する。
【異議決定日】
平成１３年１０月３０日（２００１．１０．３０）
【訂正の要旨】
訂正の要旨
１．特許査定時の明細書の特許請求の範囲の請求項１に、
「【請求項１】　画像信号記憶手段に記憶されている画像信号を印画するビデオプリンタによって印画されるビデオ画像印画媒体であって、一方の面に印画面を設け他方の面に粘着剤が塗布されたベース部と上記粘着剤により当該ベース部に貼り付けられた剥離紙とを有して成り、上記印画面と上記ベース部を予め所望の形状に切断することによって形成された切断領域が設けられ、上記画像信号に基づく画像を印画後に、上記切断領域を上記剥離紙から剥離して上記粘着剤により任意の場所に貼り付け得る画像印画媒体に、上記ビデオプリンタによって検出される印画開始位置決め用の被検出部を所定間隔毎に設けた　ことを特徴とするビデオ画像印画媒体。」とあるのを、特許請求の範囲の減縮を目的として、
「【請求項１】　画像信号記憶手段に記憶されている画像信号を印画するビデオプリンタによって印画されるビデオ画像印画媒体であって、一方の面に印画面を設け他方の面に粘着剤が塗布されたベース部と上記粘着剤により当該ベース部に貼り付けられた剥離紙とを有して成り、上記印画面と上記ベース部を予め所望の形状に切断することによって形成された切断領域が
複数個
上記切断領域に
上記切断領域に対する印画のための
上記各切断領域に対応して
と訂正する。
２．特許請求の範囲の減縮を目的として、特許査定時の明細書の特許請求の範囲の請求項４を削除する。
３．特許査定時の明細書の発明の詳細な説明における段落番号［０００５］を、明瞭でない記載の釈明を目的として、
「【課題を解決するための手段】
　本発明のビデオ画像印画媒体は、画像信号記憶手段に記憶されている画像信号を印画するビデオプリンタによって印画されるビデオ画像印画媒体であって、一方の面に印画面を設け他方の面に粘着剤が塗布されたベース部と上記粘着剤により当該ベース部に貼り付けられた剥離紙とを有して成り、上記印画面と上記ベース部を予め所望の形状に切断することによって形成された切断領域が
複数個
上記切断領域に
上記切断領域に対する印画のための
上記各切断領域に対応して
（５４）【発明の名称】
ビデオ画像印画媒体
（５７）【特許請求の範囲】
　【請求項１】　画像信号記憶手段に記憶されている画像信号を印画するビデオプリンタによって印画されるビデオ画像印画媒体であって、
　一方の面に印画面を設け他方の面に粘着剤が塗布されたベース部と上記粘着剤により当該ベース部に貼り付けられた剥離紙とを有して成り、
　上記印画面と上記ベース部を予め所望の形状に切断することによって形成された切断領域が
複数個
上記切断領域に
上記切断領域に対する印画のための
上記各切断領域に対応して
　【請求項２】　上記切断領域が所定の間隔で複数設けられ、上記画像信号記憶手段に記憶されている同一の上記画像信号が上記ビデオプリンタによって上記複数の切断領域に印画される
　ことを特徴とする請求項１記載のビデオ画像印画媒体。
　【請求項３】　上記切断領域が所定の間隔で複数設けられ、上記画像信号記憶手段に記憶されている異なる複数の上記画像信号が上記ビデオプリンタによって上記複数の切断領域に印画される
　ことを特徴とする請求項１記載のビデオ画像印画媒体。
【発明の詳細な説明】
　【０００１】
　【発明の属する技術分野】
　本発明は、画像信号記憶手段に記憶されている画像信号を印画するビデオプリンタによって印画されるビデオ画像印画媒体に関するものである。
　【０００２】
　【従来の技術】
　従来より、例えば人の顔や上半身等の実写画像等が表面上に描かれた（配された）シート或いはカード等を作成する場合、例えば上記顔や上半身の写真等をそのままシートやカードに糊付けしたり、或いは上記顔や上半身の写真等をシートやカードと共にいわゆるラミネート加工したりして作成されている。また、このようにして作成されたシートやカード等は、例えばピン（いわゆる安全ピンなど）やクリップ等によって、衣服やその他のものに取り付け可能になされることが多い。
　【０００３】
　【発明が解決しようとする課題】
　ところで、上述のようなシートやカードを作成する場合において、迅速な作成を望む用途が多々あるが、前述したようにシートやカード作成時の上半身（顔）の写真の現像，糊付け（貼付け）、或いはラミネート加工等に時間がかかり、即時に該シートやカードを作成することができない。また、例えば短時間に多数のシートやカードを作成しようとすると、多くのシート或いはカード作成装置が必要となりコストが高くなる。更に、これら作成したシートやカードは、保存性は高いが、例えば１回程度使用した後に廃棄する使い捨ての用途にはコスト的に向かない。
　【０００４】
　そこで、本発明は、上述のような実情に鑑みて提案されたものであり、例えば人の顔や上半身等の実写画像等を画像印画媒体に印画することができるとともに、短時間，簡単かつ安価で大量の印画を実現するビデオプリント装置を提供することを目的とする。
　【０００５】
　【課題を解決するための手段】
　本発明のビデオ画像印画媒体は、画像信号記憶手段に記憶されている画像信号を印画するビデオプリンタによって印画されるビデオ画像印画媒体であって、
一方の面に印画面を設け他方の面に粘着剤が塗布されたベース部と上記粘着剤により当該ベース部に貼り付けられた剥離紙とを有して成り、上記印画面と上記ベース部を予め所望の形状に切断することによって形成された切断領域が
複数個
上記切断領域に
上記切断領域に対する印画のための
上記各切断領域に対応して
　【０００６】
　ここで、本発明においては、切断領域は所定の間隔で複数設けられ、画像信号記憶手段に記憶されている同一の画像信号或いは異なる画像信号をビデオプリンタによって複数の切断領域に印画できる。また、複数の切断領域は例えばカットシート上に配置される。
　【０００７】
　すなわち、本発明によれば、印画開始位置決め用の被検出部を設けるようにしているため、ビデオプリンタはその被検出部を検出することで印画開始位置を検出できるようになり、また、切断領域の印画面に画像を印画することで、画像印画媒体上に設けられた複数の切断領域の印画面上に複数の画像を正確に印画することが可能となる。また、本発明によれば、画像信号に基づく画像を、この印画がなされた切断領域の他方の面の剥離紙を剥離して所望（任意）の物体に貼付けることができる。したがって、例えば人物の上半身（顔）の光学像の画像信号やその他の情報信号（例えば文字、記号等の画像信号）とを合成した合成画像信号に基づく合成画像を、直接印画面に印画するようなことを行えば、例えば上半身（顔）写真の現像，貼付け、ラミネート加工等が不要な例えばシートを、短時間で簡単かつ安価で大量に作成することができる。
　【０００８】
　【発明の実施の形態】
　以下、本発明の好ましい実施の形態について、図面を参照しながら説明する。
　【０００９】
　図１に本発明実施の形態のビデオ画像印画媒体として画像印画粘着シートを作成する作成装置の概略ブロック図を示し、図２に本発明実施の形態の画像印画粘着シートの外観図を示す。図２には、画像印画粘着シートの一部が剥離された状態も示している。なお、以下の実施の形態では、例えば企業内の社員等の識別のために用いられる身分証明書としてのいわゆるＩＤカード（例えば会社名，所属部署，氏名等が記載された識別カード）を作成する例を挙げているが、本発明はこれに限定されるものでないことは言うまでもない。
　【００１０】
　この図１に示す画像印画粘着シートの作成装置は、例えば、人物の上半身（顔）からの光が入射された光学像を画像信号に変換する撮像手段であるＣＣＤ（電荷結合素子）カメラ２０と、該ＣＣＤカメラ２０より得られた画像信号と該画像信号に係わる情報信号（例えば会社名，所属部署，氏名等の情報信号）とを合成し、合成画像信号として出力する画像合成手段であるホストコンピュータ２３と、当該ホストコンピュータ２３の出力画像信号が供給され、この信号を一方の面に印画面を有し他方の面に粘着剤が塗布されたベース部と該ベース部に貼付けられた剥離紙とからなる粘着シートの上記印画面に印画するビデオプリンタ２４（例えば感熱タイプの白黒プリンタ）とを備えたものである。
　【００１１】
　また、図２に示す画像印画粘着シート１０は、例えば、人物の上半身（顔）の光学像を画像信号に変換して得られた当該画像信号と、この画像信号に係わる情報信号（例えば会社名，所属部署，氏名等の情報の信号）とを合成した合成画像信号を、粘着シート１９の上記印画面１４に印画して作成されるものである。ここで、上記粘着シート１９は、一方の面に例えば感熱剤が塗布されてなる印画面１４を有し他方の面に例えば衣料用の粘着剤が塗布されてなる粘着面１３を有したベース部（合成紙１２）と該合成紙１２に貼付けられた剥離紙１１とからなるものである。更に、図３には、上記粘着シート１９の断面図を示す。すなわち、当該粘着シート１９は、合成紙１２の表面（上記一方の面）に上記感熱剤からなる感熱層３４が配されると共に該合成紙１２の裏面（上記他方の面）に上記粘着剤からなる粘着層３２が配され、上記粘着層３２によって、当該合成紙１２が上記剥離紙（例えばシリコン含浸剥離紙）１１に貼付けられてなるものである。
　【００１２】
　ここで、図４には、上記図１のブロック図に示す本実施の形態の装置を、実際の機器と対応付けた場合の構成図を示している。
　【００１３】
　すなわち、この図４及び図１において、上記ＣＣＤカメラ２０で例えば人物の上半身（顔）を撮影（ＣＣＤ上に撮像）する。このＣＣＤカメラ２０は、上記撮像された光学像を画像信号（ビデオ信号）に変換して出力する。該ＣＣＤカメラ２０からのビデオ信号は、上記ホストコンピュータ２３に送られる。
　【００１４】
　また、キーボード２１では、上記ＣＣＤカメラ２０で撮像された人物の例えば会社名，所属部署，氏名等の情報（すなわち上記画像信号に係わる文字，記号等の情報）を入力すると共に、上記ホストコンピュータ２３にて合成される画像を選択するための入力も行われる。このキーボード２１からの出力情報信号も、上記ホストコンピュータ２３に送られる。
　【００１５】
　当該ホストコンピュータ２３では、上記キーボード２１からの選択入力に応じた上記ＣＣＤカメラ２０からの上記画像信号と、上記キーボード２１からの上記情報信号とを合成し、合成画像信号を形成する。この合成画像信号は、モニタ２２に送られ、該モニタ２２の表示画面（例えばいわゆるブラウン管或いは液晶画面等）２２ａに表示される。すなわち、このモニタ２２の表示画面２２ａには、例えば図４に示すように、上記ＣＣＤカメラ２０で撮像された人物の上半身（顔）の画像２２ｂと、該人物の会社名，所属部署，氏名等の情報の画像（図４の例では文字画像）２２ｃとが同時に表示される。
　【００１６】
　その後、上記ホストコンピュータ２３で合成された合成画像信号は、上記ビデオプリンタ２４に送られる。このビデオプリンタ２４では、上記画像印画粘着シート１０の印画面１４に上記画像信号の印画が行われる。ここで、当該ビデオプリンタ２４内には、例えばロール状に巻回された上記粘着シート１９が内蔵されている。この場合の当該粘着シート１９には、例えば、印画面１４とベース部を予め所望の形状に切断することにより形成された切断領域として複数の画像印画粘着シート１０が、当該粘着シート１９の長手方向に一定間隔で配されている（幅方向には１つ以上配される）。もちろん、上記粘着シート１９は、上記ロール状に巻回されたものに限らず、例えば図５に示すように折り畳まれたもの、或いは、例えば図６に示すように１枚の粘着シート１９に複数の画像印画粘着シート１０が配置されたもの等であってもよい。また、上記粘着シート１９には、例えば図２に示すように、印画開始位置決め用の被検出部である孔部（インデックス孔）１５が一定間隔で配されている。当該ビデオプリンタ２４は、このインデックス孔１５を検出して上記印画面１４上への印画開始位置を決めている。すなわち、当該インデックス孔１５により、印画位置が画枠（印画面１４）内に入るようにしている。上述のようなことから、該ビデオプリンタ２４を用いることにより、図２に示すように、上記人物の画像信号に対応する上半身（顔）の画像１６と、会社名，所属部署，氏名等の情報信号に対応する文字画像１７とが、粘着シート１９の１つの印画面１４上に印画されるようになる。この本実施の形態のビデオプリンタ２４によれば、１つの印画面１４への印画に要する時間は、５秒程度となっている。
　【００１７】
　更に、上記ホストコンピュータ２３で合成された合成画像信号は、該ホストコンピュータ２３の内部メモリに記録されたり、或いは、ファイリング装置２５に送られて記録されるようになっている。該ファイリング装置２５は、例えば磁気記録再生装置（例えばいわゆるフロッピィディスク，ハードディスク等）或いは光学式記録再生装置等からなり、複数の上記合成画像信号（或いは合成される前（後）の上記画像信号，情報信号）の記録／再生が可能なものである。なお、図４では、上記ホストコンピュータ２３内に上記ファイリング装置２５が内蔵されている。ここで、上記ホストコンピュータ２３の内部メモリは、上記モニタ２２の表示画面２２ａの１枚乃至数枚分程度の上記画像信号の書込／読出が可能なものであり、上記ファイリング装置２５は、複数枚の記録／再生が可能なものである。したがって、上記ファイリング装置２５或いは上記内部メモリに記録（書込）された画像信号が、再生（読出）されて上記ビデオプリンタ２４に送られることで、例えば、同じ画像を複数の画像印画粘着シート１０に印画することや、複数の異なる画像を複数の画像印画粘着シート１０に連続的に印画することが可能となる。なお、上記ファイリング装置２５によれば、複数の画像信号をファイルすることで、これらのリストを作成，保存することもできる。
　【００１８】
　また、前述したように、上記画像印画粘着シート１０は、上記合成紙１２の裏面（粘着面１３）に例えば衣料用の粘着剤が塗布されているため、この画像印画粘着シート１０を上記剥離紙１１から剥がして、例えば衣服の胸部分に貼付けることができる。この粘着剤は衣服用であるため、衣服から剥がした場合でも、該粘着剤が衣服に残ることはない（衣服にダメージを与えない）。この時、当該画像印面粘着シート１０の印画面１４に、上述のように、人物の上半身（顔）の画像と会社名等の情報画像を印画すれば、該画像印画粘着シート１０をＩＤカードとして用いることができるようになる。なお、貼付けるものは衣服に限らずその他のもの（例えばノートやメモ帳など）であってもよい。
　【００１９】
　上述したように、本実施の形態の画像印画粘着シートの作成装置においては、例えば、人物の上半身（顔）の光学像をＣＣＤカメラ２０で画像信号に変換して得られた画像信号とこの画像信号に係わる例えば会社名，所属部署，氏名等の情報信号とを合成した画像信号に基づく画像を、合成紙１２の裏面に粘着剤が塗布され剥離紙１１に貼付けられて成る粘着シート１９の印画面１４に印画することで、例えばいわゆるＩＤカード（識別カード）等に使用可能な画像印画粘着シート１０を、短時間で簡単かつ安価に作成することができるようになる。また、この画像印画粘着シート１０を用いたＩＤカードには、上述のように、人物の上半身（顔）画像と会社名等の情報画像が同時に印画されるため、例えば、従来のように、上記会社名等をカードに記載し更に人物の上半身（顔）の写真を糊付けしたり、ラミネート加工したりしてカードを作成しなくてもよい。したがって、短時間（即時性が高い），容易かつ安価（低ランニングコスト），大量にＩＤカードを得ることができるようになる。これにより、例えば、来客者，博覧会等の入場者等のＩＤカードを迅速に作成することが可能となる。更に、画像印画粘着シート１０の粘着剤を衣料用としているため、貼付けても衣服にダメージを与えない。また、ファイリング装置２５により、画像信号等をファイルしてリストを保存することも可能となっている。
　【００２０】
　なお、本実施の形態の画像印画粘着シート１０は、上述したような、来客者，入場者等のＩＤカードに限らず、例えば、病院において、患者等の例えば患部の写真，レントゲン写真，心電図，ＣＴスキャン写真，超音波断層写真当の映像と、担当医の所見，撮影年月日，患者の容態等の文字情報とからなる画像を印画したカードを作成し、例えばカルテ等に貼付けるようにすることもできる。また、荷物の荷札として、当該荷物の包装箱に貼付けることもできる。この場合、例えば荷物の写真と、発送者，宛先等の情報を印画することができる。
　【００２１】
　【発明の効果】
　本発明のビデオ画像印画媒体においては、印画開始位置決め用の被検出部を設けるようにしているため、ビデオプリンタはその被検出部を検出することで印画開始位置を検出できるようになり、また、切断領域の印画面に画像を印画することで、画像印画媒体上に設けられた複数の切断領域の印画面上に複数の画像を正確に印画することが可能となる。また、本発明のビデオ画像印画媒体によれば、画像信号に基づく画像を、この印画がなされた切断領域の他方の面の剥離紙を剥離して所望（任意）の物体に貼付けることができ、したがって、例えば人物の上半身（顔）の実写画像等を表面上に描く（配する）ことができるとともに、短時間，簡単かつ安価にシートを大量に作成できる。
【図面の簡単な説明】
　【図１】
　本発明実施の形態の画像印画粘着シートの作成装置の概略構成を示すブロック回路図である。
　【図２】
　本発明実施の形態の画像印画粘着シートの外観図である。
　【図３】
　粘着シートの断面図である。
　【図４】
　図１の本実施の形態装置を実際の機器と対応付けた場合の構成図である。
　【図５】
　粘着シートの一例を示す外観図である。
　【図６】
　粘着シートの他の例を示す外観図である。
　【符号の説明】
　１０　画像印画粘着シート、　１１　剥離紙、　１２　合成紙、　１３　粘着面、　１４　印画面、　１５　インデックス孔、　１９　粘着シート、　２０　ＣＣＤカメラ、　２１　キーボード、　２２　モニタ、　２３　ホストコンピュータ、　２４　ビデオプリンタ、　２５　ファイリング装置